(57)【要約】      （修正有）【課題】ドライブスルー方式より小さな敷地面積で実現可能なファストフード販売システムを提供する。【解決手段】前面に掲げられた看板６に、メニュー及びフリーダイヤル番号が表示されており、該メニュー及びフリーダイヤル番号が見える様に、前向きに駐車させるべく、指示／誘導した駐車スペース２と、該駐車スペース２の近傍に設けられた店舗建屋１とからなり、駐車スペース２に自動車５で進入した顧客が、自身の携帯電話を用いてフリーダイヤル通話により、前記看板６に表示されているメニューに基づき、所望のファストフードを注文し、該注文に基づいて調理されたファストフードを店員が店舗建屋１から車内に待機している顧客へ届け、その場において代金の決裁を行う。【選択図】図１
2012174005.tif 000002
【特許請求の範囲】
【請求項１】
前面に掲げられた看板に、メニュー及びフリーダイヤル番号が表示されており、該メニュー及びフリーダイヤル番号が見える様に、前向きに駐車させるべく、指示／誘導した駐車スペースと、該駐車スペースの近傍に設けられた店舗建屋とからなり、駐車スペースに自動車で進入した顧客が、自身の携帯電話を用いてフリーダイヤル通話により、前記看板に表示されているメニューに基づき、所望のファストフードを注文し、該注文に基づいて調理されたファストフードを店員が店舗建屋から車内に待機している顧客へ届け、その場において代金の決裁を行う様にしたことを特徴とするファストフード販売システム。
【発明の詳細な説明】
【技術分野】
【０００１】
この発明は、ファストフード販売システム、詳しくは、自動車に乗ったままで所望のファストフードを購入できるファストフードの販売システムに関するものである。
【背景技術】
【０００２】
ハンバーガー、たこ焼き、焼きそば、フライドチキン、たい焼き、すし、ピザなどの所謂ファストフード（fast food）は、その手軽さから現在では大いに消費されているが、これらファストフードの販売形態には、店舗内に設けられた客席での喫食と、持ち帰り、つまり、テイクアウトの２種類が存在している。
【先行技術文献】
【特許文献】
【０００３】
【特許文献１】なし
【非特許文献】
【０００４】
【非特許文献１】なし
【発明の概要】
【発明が解決しようとする課題】
【０００５】
テイクアウトによる販売の場合、手軽さの点から、ドライブスルーなる販売方式が人気を集めている。このドライブスルー方式においては、店舗建屋を取り巻く様に、自動車の通行路を設け、この通行路の始端寄りに設けられた注文ポイントにおいて、インターフォン等によって購入したいファストフードを店員に告げ、終端寄りに設けられた受け取りポイントにおいて、注文品の受け取り及び代金の決済を行う様になっている。
【０００６】
このシステムは、自動車から降りることなく、所望のファストフードを購入出来るので、顧客にとっての利便性にすぐれ、多くの店舗で採用されているが、店舗建屋の周りに自動車の通行路を設けなければならず、この通行路は、注文待ちや注文後の代金決裁待ちの自動車を無理なく捌けるだけの余裕を必要とし、店舗建屋を中心としたその周囲の敷地の平面形状にも自ずと制限があるので、店舗建屋及び周辺施設設計の自由度が低く、十分な敷地面積を確保しないとドライブスルー方式のファストフード店を開設できないといった問題点があった。
【０００７】
本発明者は、ドライブスルー方式のファストフード店の前記問題に鑑み、利便性においてドライブスルー方式に劣ることなく、ドライブスルー方式より小さな敷地面積でも店舗施設を建設出来、店舗建屋及び周辺施設設計の自由度も高い、新たなファストフード販売システムを開発することに成功し、本発明としてここに提案するものである。
【課題を解決するための手段】
【０００８】
前面に掲げられた看板に、メニュー及びフリーダイヤル番号が表示されており、該メニュー及びフリーダイヤル番号が見える様に、前向きに駐車させるべく、指示／誘導した駐車スペースと、該駐車スペースの近傍に設けられた店舗建屋とからなり、駐車スペースに自動車で進入した顧客が、自身の携帯電話を用いてフリーダイヤル通話により、前記看板に表示されているメニューに基づき、所望のファストフードを注文し、該注文に基づいて調理されたファストフードを店員が店舗建屋から車内に待機している顧客へ届け、その場において代金の決裁を行う様にして、上記課題を解決した。
【発明の効果】
【０００９】
ファストフードを購入しようとする顧客は、自動車でこの施設に乗り付け、駐車スペースで、駐車位置に前向きで駐車し、看板に記載されているメニューから所望のファストフードを選び出し、自身の持っている携帯電話を用い、同じく看板に記載されているフリーダイヤル番号を用いて店舗建屋内の店員に注文し、駐車スペースでそのまま待機する。
【００１０】
店舗建屋内においては、店員がフリーダイヤルによる注文を受け付け、それに基づいて注文されたファーストフードを調理し、出来上ったら、店員が自動車内に待機している顧客まで持参して交付し、代金の支払いを受ける。
従って、従来のドライブスルー方式によるファストフード販売の場合の様に、店舗建屋を取り巻く様に、自動車の通行路を設けなくて良いので、店舗建屋及びその周辺の付帯施設設計の自由度が高く、比較的小さな用地でも、ドライブスルー方式に匹敵する営業活動が可能であり、建設コストも少なくてすみ、ファストフード販売の営業活動をさらに活性化させることが出来る効果を有する。
【図面の簡単な説明】
【００１１】
【図１】この発明に係るファストフード販売システムにおいて用いる店舗施設の一実施例の斜視図。
【発明を実施するための形態】
【００１２】
店舗建屋近傍に、メニュー及びフリーダイヤル番号が見やすく表示された駐車スペースを設け、自動車で乗り付けた顧客に該駐車スペースからフリーダイヤルを用いて所望のファストフードを注文させ、出来上がったファストフードを店員が駐車スペースまで届けて代金を回収する様にした点に、最大の特徴が存する。
【実施例１】
【００１３】
以下、図面を参照しながら、本発明の実施例について説明する。
【００１４】
図１は、この発明に係るファストフード販売システムにおいて用いる施設の一例の平面図であり、図中１は店舗建屋、８はこれに隣接した公道を示し、この店舗建屋１は、注文の受付や調理を行う、このファストフード販売の営業活動拠点である。そして、この店舗建屋１内には、フリーダイヤルによる注文を受け付ける電話システムの端末が備えられている、なお、この店舗建屋１内には普通のファストフード店舗同様、店内喫食用に客席を設けても良いことはもちろんである。
【００１５】
一方、図中２は駐車スペースであり、図示の通り、店舗建屋１の近傍に設けられており、この駐車スペース２には、複数の自動車の駐車位置３…が、舗装面上に描かれた枠４によって表示されていると共に、前向きで駐車する様に、同じく舗装面上に描かれた誘導マーク７によって指示／誘導される様になっている。なお、図中５は、前向きに駐車した自動車を示す。
【００１６】
更に、この駐車スペース２の前面には、後方、つまり、駐車する自動車５の運転席方向を向いて看板６が掲げられており、この看板６には店舗建屋１で提供するファストフードのメニュー及び注文受付け用のフリーダイヤル番号が視認しやすく明瞭に表示されている。なお、ファストフードとはハンバーガー、たこ焼き、すし、ピザ、フライドポテト、たい焼き、焼きそばなど、手軽に食することが出来る軽食を言い、ジュース、コーラ、コーヒー、お茶などの飲み物も含まれている。
【００１７】
次に、上記施設を用いたファストフードの販売方法について説明すると、ファストフードを購入しようとする顧客は、自動車５でこの施設に乗り付け、駐車スペース２で、駐車位置３に前向きで駐車し、看板６に記載されているメニューから所望のファストフードを選び出し、自身の持っている携帯電話を用い、同じく看板６に記載されているフリーダイヤル番号を用いて店舗建屋１内の店員に注文し、駐車スペース２でそのまま待機する。
【００１８】
店舗建屋１内においては、店員がフリーダイヤルによる注文を受け付け、それに基づいて注文されたファーストフードを調理し、出来上ったら、店員が自動車５内に待機している顧客まで持参して交付し、代金の支払いを受ける。ファストフードを受け取った顧客は、その場でそれを食しても良く、持ち帰っても良い。
【００１９】
この様に、このファストフード販売システムにおいては、従来のドライブスルー方式によるファストフード販売の場合の様に、店舗建屋１を取り巻く様に、自動車５の通行路を設けなくて良いので、店舗建屋及びその周辺の付帯施設設計の自由度が高く、比較的小さな用地でも、ドライブスルー方式に匹敵する営業活動が可能であり、建設コストも少なくてすみ、ファストフード販売の営業活動をさらに活性化させることが出来る効果を有する。
【産業上の利用可能性】
【００２０】
各種ファストフード業界において利用可能である。
【符号の説明】
【００２１】
１．店舗建屋
２．駐車スペース
３．駐車位置
４．枠
５．自動車
６．看板
７．誘導マーク
８．公道
【図１】
2012174005.tif 000003